(57)【要約】【課題】背面表示部を有する電子機器においてリアカバーから掛かる荷重によって背面ＬＣＤを介して正面ＬＣＤが破壊されることを防止できる、背面ＬＣＤの衝撃吸収構造を有する電子機器を提供する。【解決手段】リアカバー２０は、表面には背面スクリーン１０が貼り付けられる背面スクリーン貼付け部２３、背面スクリーン貼付け部２３に取り囲まれて開口した背面ＬＣＤ表示窓２１を有し、裏面には背面防塵クッション３０が貼り付けられる。  背面ＬＣＤ表示窓２１の４辺の内、長手の一辺が半月形の形状に外側に広がって切り欠き部２２が形成されており、これによってリアカバー２０に加わった外力による背面ＬＣＤ４２のこの部分への直接の影響が緩和される。【選択図】図２
2005189512.tif 000002
【特許請求の範囲】
【請求項１】
正面と背面の表示部にそれぞれＬＣＤを備えた電子機器における背面ＬＣＤの衝撃吸収構造であって、
前記電子機器は、
正面ＬＣＤ表示窓を有する第１のケースと、
前記背面ＬＣＤ表示窓を有し、前記第１のケースとの係合によって筐体が形成される第２のケースと、
正面側に設けられた前記正面ＬＣＤと、背面側に設けられた前記背面ＬＣＤと、ＬＣＤ制御用の電子部品と配線とを有する印刷配線基板とを有し、前記筐体内部に組み込まれるＬＣＤユニットとを備え、
前記第２のケースの表面の前記背面ＬＣＤ表示窓の周辺には背面スクリーンが貼り付けられ、裏面の前記背面ＬＣＤ表示窓の周辺には前記背面スクリーンと前記背面ＬＣＤとの間の防塵のための背面防塵クッションが貼り付けられており、
前記第２のケースの前記背面ＬＣＤ表示窓が形成される４辺の内の長手の一辺には、該第２のケースに加わる外力の前記背面ＬＣＤへの直接の影響を緩和するための、外側に広がった切り欠き部が形成されている、電子機器における背面ＬＣＤの衝撃吸収構造。
【請求項２】
前記切り欠き部は、半月形の形状に形成されている、請求項１に記載の電子機器における背面ＬＣＤの衝撃吸収構造。
【請求項３】
前記切り欠き部は、長方形の形状に形成されている、請求項１に記載の電子機器における背面ＬＣＤの衝撃吸収構造。
【請求項４】
請求項１から請求項３の何れか１項に記載の背面ＬＣＤの衝撃吸収構造を備えたことを特徴とする電子機器。
【請求項５】
前記電子機器が携帯電話機である、請求項４に記載の電子機器。
【請求項６】
前記携帯電話機が折り畳み式である、請求項５に記載の電子機器。
【発明の詳細な説明】
【技術分野】
【０００１】
本発明は両面ＬＣＤを有する電子機器に関し、特に背面ＬＣＤの衝撃吸収構造とその構造を有する電子機器に関する。
【背景技術】
【０００２】
従来、携帯電話などのＬＣＤを備えた電子機器は、ＬＣＤフレキシブル基板を有するＬＣＤと回路基板である印刷配線基板とを両面に固定したＬＣＤフレームを、筐体を形成するフロントケースとリアカバーとの間に挟持して構成されており、フロントケースにはＬＣＤ画面表示のためのスクリーンが設けられていた。最近はさらに表示面をフロントケースに加えてリアカバーにも設け、ＬＣＤを表面と背面に設ける構成が実用化されている。この両面形の従来の構成においては、背面側の表示窓は背面ＬＣＤに対応した長方形の形状となっておりその周辺が防塵クッションを介して背面ＬＣＤの周辺と対向していた。
【０００３】
フロントケースに保持されたＬＣＤフレームに設けられたガイドリブの中に背面ＬＣＤが収納され、ガイドリブがリアカバーおよび背面スクリーンに直接にも間接的にも接触しない構造とすることによって、背面スクリーン側からの荷重がガイド部材に直接加わらない背面ＬＣＤ固定構造が開示されている（特許文献１参照）。
【特許文献１】特開２０００−２４１１７０号公報
【発明の開示】
【発明が解決しようとする課題】
【０００４】
この従来の構成においては、背面の表示窓は背面ＬＣＤに対応した長方形の形状となっておりその周辺が防塵クッションを介して背面ＬＣＤの周辺と対向していたため、リアカバーの表示窓に設けられた背面スクリ−ン側から外力が加わった場合に、比較的剛性の高いリアカバーを変形させる外力が加わると、開口が設けられたため剛性の低い表示窓周辺のリアカバーが変形し、背面ＬＣＤ用防塵クッションを介してその力がそのまま背面ＬＣＤに伝わり、背面ＬＣＤの組み込まれているＬＣＤユニットを介して直接正面ＬＣＤに伝達され、そのとき一番撓みやすい背面ＬＣＤの中央付近から加えられる荷重によって正面ＬＣＤが破損してしまうという問題点がある。
【０００５】
特許文献１に記載の背面ＬＣＤ固定構造ではガイドリブがリアカバーおよび背面スクリーンに直接にも間接的にも接触しない構造となっているが、背面スクリーンと背面ＬＣＤとの間に防塵クッションが設けられており、背面スクリーンに加わった荷重は防塵クッションを介して背面ＬＣＤに伝わる。
【０００６】
本発明の目的は、背面表示部を有する電子機器においてリアカバーから掛かる荷重によって背面ＬＣＤを介して正面ＬＣＤが破壊されることを防止できる背面ＬＣＤの衝撃吸収構造を有する電子機器を提供することにある。
【課題を解決するための手段】
【０００７】
本発明の電子機器における背面ＬＣＤの衝撃吸収構造は、
正面と背面の表示部にそれぞれＬＣＤを備えた電子機器における背面ＬＣＤの衝撃吸収構造であって、電子機器は、正面ＬＣＤ表示窓を有する第１のケース、背面ＬＣＤ表示窓を有し、第１のケースとの係合によって筐体が形成される第２のケース、および正面側に設けられた正面ＬＣＤと、背面側に設けられた背面ＬＣＤと、ＬＣＤ制御用の電子部品と配線とを有する印刷配線基板とを有し、筐体内部に組み込まれるＬＣＤユニットを備えている。第２のケースの表面の背面ＬＣＤ表示窓の周辺には背面スクリーンが貼り付けられ、裏面の背面ＬＣＤ表示窓の周辺には背面スクリーンと背面ＬＣＤとの間の防塵のための背面防塵クッションが貼り付けられており、第２のケースの背面ＬＣＤ表示窓を形成する４辺の内の長手の一辺には、その第２のケースに加わる外力の背面ＬＣＤへの直接の影響を緩和するための、外側に広がった切り欠き部が形成されている。
【０００８】
切り欠き部は、半月形の形状に形成されていてもよく、長方形の形状に形成されていてもよい。
【０００９】
本発明の電子機器は、
上述の背面ＬＣＤの衝撃吸収構造を備えたことを特徴とする。電子機器が携帯電話機であってもよく、携帯電話機が折り畳み式であってもよい。
【発明の効果】
【００１０】
本発明の背面ＬＣＤの衝撃吸収構造には、背面表示部を有する電子機器においてリアカバーから背面ＬＣＤに加わる力によって背面ＬＣＤを介して正面ＬＣＤが破壊されることが防止されるという効果がある。これは、リアカバーの背面ＬＣＤ表示窓の長手の一辺が半月形の形状に外側に広がっているため、背面ＬＣＤ表示窓を取り囲むリアカバーに荷重が掛かった場合でも、最も変形の大きい長手の辺の中央部の変形が少なくなるので防塵クッションを介して背面ＬＣＤの表面に掛かる荷重が緩和され、背面ＬＣＤを介して正面ＬＣＤにかかる荷重も緩和されるからである。
【発明を実施するための最良の形態】
【００１１】
次に、本発明の実施の形態について図面を参照して説明する。図１は本発明の実施の形態の折り畳み式携帯電話機の模式的斜視図であり、（ａ）は開いた場合の正面ＬＣＤ側であり、（ｂ）は折り畳んだ場合の背面ＬＣＤ側であり、図２は図１の上部筐体の模式的分解斜視図であり、（ａ）は背面側からの斜視図であり、（ｂ）はＬＣＤユニットの正面ＬＣＤ側からの斜視図であり、図３は携帯電話機を折り畳んだ状態の図面であり、（ａ）は背面ＬＣＤ側から見た平面図、（ｂ）は（ａ）のＡ−Ａ断面図である。
【００１２】
図１に示すように、折り畳み式携帯電話機１は、上部筐体２、下部筐体３、上部筐体２と下部筐体３とを折り畳み可能に接続するヒンジ接続部４と外部アンテナ７とで構成され、上部筐体２の一面には画面を表示する正面ディスプレイ５が、反対面には背面ディスプレイ８が設けられ、下部筐体には文字情報と制御情報を入力するキーボタン６が設けられている。
【００１３】
上部筐体２は、図２に示すように、背面スクリーン１０、リアカバー２０、背面防塵クッション３０、ＬＣＤユニット４０、フロントケース５０を備えている。
【００１４】
リアカバー２０は、表面に背面スクリーン貼付け部２３、背面スクリーン貼付け部２３に取り囲まれて開口した背面ＬＣＤ表示窓２１、裏面には不図示の背面防塵クッション貼付け部を有し、背面スクリーン貼付け部２３には背面スクリーン１０が貼り付けられ、防塵クッション貼付け部には背面防塵クッション３０が貼り付けられる。
【００１５】
背面ＬＣＤ表示窓２１を取り囲むリアカバー２０の背面スクリーン貼付け部２３の４辺の内、長手の一辺が半月形の形状に外側に広がって切り欠き部２２が形成されており、この背面ＬＣＤ表示窓２１の長手の一辺の半月形の形状に外側に広がった切り欠き部２２が本願発明の特徴となっている。
【００１６】
ＬＣＤユニット４０は、リアカバー側の面には背面ＬＣＤ４２が、フロントケース側には正面ＬＣＤ４１が設けられ、中間に印刷配線基板が設けられて背面と正面のＬＣＤを制御しており、組立て時にリアカバー２０とフロントケース５０との間に固定される。
【００１７】
フロントケース５０には正面スクリーンが設けられ、正面スクリーンとＬＣＤユニット４０に固定された正面ＬＣＤ４１の間には、不図示の正面防塵クッションが設けられている。
【００１８】
本実施の形態では、上述のように、背面ＬＣＤ表示窓２１の４辺の内、長手の一辺が半月形の形状に外側に広がって切り欠き部２２が形成されていることが特徴となっている。
【００１９】
従来の背面ＬＣＤ表示窓は、背面ＬＣＤと同様に長方形の開口となっていたので、リアカバーの背面ＬＣＤ表示窓近傍に加わった外力は、開口のために剛性の低くなったリアカバーの背面ＬＣＤ表示窓開口辺中央部を変形させ、その外力が背面防塵クッションを介して背面ＬＣＤに直接加わり、ＬＣＤユニットを経由して正面ＬＣＤに伝わり、サイズが大きいために強度の劣る正面ＬＣＤを破壊することがあった。
【００２０】
本実施の形態では、背面ＬＣＤ表示窓２１の４辺の内、長手の一辺が半月形の形状に外側に広がって切り欠き部２２が形成されており、従来例では外力が加わった場合に剛性が最も低く変形の大きかった長辺の中央部が後退しているのでこの部分の変形が少なくなり、リアカバー２０が変形した場合でも切り欠き部２２は背面ＬＣＤ４２に直接強い力を加えることがなく力が分散するので、従来例に比べて背面ＬＣＤ４２に加わる力が少なくなり、従ってＬＣＤユニット４０を経由して正面ＬＣＤ４１に伝わってもＬＣＤユニット４０を破壊することが防止される。
【００２１】
ここでは切り欠き部２２は半月形の形状として説明したが、これに限定されるものではなく外力による変形量を抑制できる構造であればよく、長方形の形状に形成されていてもよい。
【００２２】
次に、本実施の形態の折り畳み式携帯電話機の上部筐体２の組立てについて説明する。先ず、リアカバー２０の裏面に設けられている不図示の背面防塵クッション貼付け部に背面防塵クッション３０を貼り付ける。次にフロントケース５０に、背面ＬＣＤ４２と正面ＬＣＤ４１と不図示の印刷配線基板が組み込まれたＬＣＤユニット４０組み込んだ後、リアカバー２０をフロントケース５０に取り付け、リアカバー２０の背面スクリーン貼付け部２３に背面スクリーン１０を貼り付けて上部筐体２が組み立てられる。
【００２３】
次に本実施の形態の背面ＬＣＤ４２の衝撃吸収構造の作用について説明する。リアカバー２０の背面スクリーン貼付け部２３に囲まれる背面ＬＣＤ表示窓２１の長手の一辺が半月形の形状に外側に広がって切り欠き部２２となっているため、背面ＬＣＤ表示窓２１を取り囲むリアカバー２０の部分に荷重が掛かった場合でも、最も変形の大きい長手の辺の中央が後退しているので変形量も少なくなり、切り欠き部２２は背面ＬＣＤ４２の中心から外れるので防塵クッションを介しての背面ＬＣＤ４２表面に掛かる荷重が緩和され、背面ＬＣＤ４２を介して正面ＬＣＤ４１にかかる荷重も緩和される。
【００２４】
ここでは、折り畳み式携帯電話機を例として説明したが折り畳み式携帯電話機に限定されるものではなく、一体型の携帯電話機であってもよく、背面ＬＣＤで表示を行う電子機器の背面ＬＣＤの衝撃吸収構造として広く適用できる。
【図面の簡単な説明】
【００２５】
【図１】本発明の実施の形態の折り畳み式携帯電話機の模式的斜視図である。（ａ）は開いた場合の正面ＬＣＤ側である。（ｂ）は折り畳んだ場合の背面ＬＣＤ側である。
【図２】図１の上部筐体の模式的分解斜視図である。（ａ）は背面側からの斜視図である。（ｂ）はＬＣＤユニットの正面ＬＣＤ側からの斜視図である。
【図３】携帯電話機を折り畳んだ状態の図面である。（ａ）は背面ＬＣＤ側から見た平面図である。（ｂ）は（ａ）のＡ−Ａ断面図である。
【符号の説明】
【００２６】
１    折り畳み式携帯電話機
２    上部筐体
３    下部筐体
４    ヒンジ接続部
５    表面ディスプレイ
６    キーボタン
７    外部アンテナ
８    背面ディスプレイ
１０    背面スクリーン
２０    リアカバー
２１    背面ＬＣＤ表示窓
２２    切り欠き部
２３    背面スクリーン貼付け部
３０    背面防塵クッション
４０    ＬＣＤユニット
４１    正面ＬＣＤ
４２    背面ＬＣＤ
５０    フロントケース
【図１】
2005189512.tif 000003
【図２】
2005189512.tif 000004
【図３】
2005189512.tif 000005